(57)【特許請求の範囲】
【請求項１】
所定の情報が記録されたカードがカード挿入口に挿入され、該カード情報に基づき所望の機器の制御を行うカード式制御装置において、
前記被制御機器の使用場所に隣接してカード式制御装置が配置され、
機器制御条件の変更を行う際にカード挿入口に挿入され、管理者が使用する条件設定カードと、
機器を使用する際にカード挿入口に挿入され、機器使用者が使用するプリペイドカードと、
前記条件設定カードが挿入された際に、機器使用条件を手動設定可能な条件設定部と、
前記条件設定部により設定された機器使用条件を記憶する書換型記憶部と、
を備えたことを特徴とするカード式制御装置。
【請求項２】
請求項１記載の装置において、
前記カードは、照明を使用可能な時間を度数情報として記録されたプリペイドカードであり、
前記条件設定手段は、照明制御のタイムチャートを設定可能に構成され、
前記書換型記憶手段は、照明制御のタイムチャートを記憶するバックアップＲＡＭであることを特徴とするカード式照明制御装置。
【発明の詳細な説明】
【０００１】
【発明の属する技術分野】
本発明はカード式制御装置、特にカードに記録された情報に基づく機器使用条件の変更方式の改良に関する。
【０００２】
【従来の技術】
たとえば、テニスコート等では夜間プレイ用の照明設備を備えたものが多いが、通常、照明には多くの費用がかかるため、昼間のコート使用料とは別途に照明費用をプレーヤーより徴収する場合が多い。
この場合、コートの管理者が一律に照明制御を行うこともあるが、季節による日没時期の相違、あるいはコート使用者の好みにより、予め一定度数の書き込まれたプリペイドカードを購入する。そしてコート使用者の使用するコートに隣接して設置された照明制御装置に該プリペイドカードを挿入することにより、度数分の照明を行わせる装置が開発されており、このような装置を用いれば照明の無駄を生じることがなく、しかも照明費用の適正な負担を使用者に求めることができる。
【０００３】
【発明が解決しようとする課題】
しかしながら、このようなカード式制御装置、たとえば前述したプリペイドカード式照明制御装置では、その度数に応じた時間、所定の照明制御を行うのみであり、コートの設置場所あるいはコート管理者の要望に応じたタイムチャートで、カード度数に応じた照明制御を行うことはできないものであった。
本発明は前記従来技術の課題に鑑みなされたものであり、その目的は照明管理者などの要望に応じたカード情報に基づく機器使用条件を設定し得るカード式制御装置を提供することにある。
【０００４】
【課題を解決するための手段】
前記目的を達成するために本発明にかかるカード式制御装置は、所定の情報が記録されたカードがカード挿入口に挿入され、該カード情報に基づき所望の機器の制御を行うカード式制御装置において、
前記被制御機器の使用場所に隣接してカード式制御装置が配置され、
機器制御条件の変更を行う際にカード挿入口に挿入され、管理者が使用する条件設定カードと、
機器を使用する際にカード挿入口に挿入され、機器使用者が使用するプリペイドカードと、
前記条件設定カードが挿入された際に、機器使用条件を手動設定可能な条件設定部と、
前記条件設定部により設定された機器使用条件を記憶する書換型記憶部と、
を備えたことを特徴とする。
また、前記装置において、
前記カードは、照明を使用可能な時間を度数情報として記録されたプリペイドカードであり、
前記条件設定手段は、照明制御のタイムチャートを設定可能に構成され、
前記書換型記憶手段は、照明制御のタイムチャートを記憶するバックアップＲＡＭであることが好適である。
【０００５】
【発明の実施の形態】
以下、図面に基づき本発明の好適な実施形態を説明する。
図１には本発明のカード式制御装置の一実施形態にかかるプリペイドカード式照明制御装置の概略構成が示されている。
同図に示す照明制御装置１０は、プリペイドカード１２をカード挿入口１４に挿入することにより、所定の制御条件に基づきテニスコート１６の照明設備１８，２０の照明制御を行うものである。
【０００６】
すなわち、プリペイドカード１２には、その購入額に応じて所定の度数が記録されており、該カード１２をカード挿入口１４に挿入することにより度数に応じた時間、照明設備１８，２０を作動させることができる。
この際、照明制御装置１０の表示パネル２２には現在時刻とカードの残度数（残時間）が表示されており、コート１６に隣接して装置１０を設置することで、プレーヤーは容易に残時間を確認することができる。
【０００７】
一方、照明設備１８（照明設備２０も略同様の構成を有する）は、主照明灯２４と、残置灯２６と、終了予告灯２８と、殺虫器３０とを備える。そして、前記照明制御装置１０の出力信号端子３２は、各照明２４，２６，２８，３０のそれぞれのＯＮ／ＯＦＦを制御するリレー３４，３６，３８，４０を備える。
このため、出力信号端子３２の各灯２４，２６，２８，３０に対応した端子にそれぞれＯＮ信号が供給されると、リレー電源４２から供給される電力によりリレー３４，３６，３８，４０が作動し、対応する照明灯に照明電源４４より点灯電力が供給される。
【０００８】
通常の場合、前記照明設備１８のそれぞれの照明灯は、図２に示すようなタイムチャートに基づき点灯制御される。
同図より明らかなように、プリペイドカード１２がカード挿入口１４に挿入されると、主照明灯２４、残置灯２６及び殺虫器３０が点灯する。そして、その後の経過時間に伴いプリペイドカード１２の残度数（残時間）が減少し、時間が切れる５分前に３０秒間終了予告灯２８が点灯する。残時間がゼロとなってから５分間はサービス時間として各照明２４，２６，３０とも点灯を続けるが、主照明灯２４はサービス時間経過後に消灯し、殺虫器３０は残時間がゼロとなってから３０分間、残置灯２６は同じく残時間ゼロより２０分間点灯した後、消灯する。この間に使用者は後片づけを行い、コートから出ていくことになる。
【０００９】
ところで、たとえば残置灯２６、殺虫器３０の点灯時間、あるいは終了予告灯２８の点灯タイミングなどは、コート１６とレストハウスとの距離などにより最適時間が異なり、また複数のコート１６がある場合には、各コートによって最適時間が異なる場合もある。
このような場合にも、コート管理者は画一的な照明制御を行わざるを得ず、また季節などに応じた照明制御状態の変更はＲＯＭの交換などが必要となり、きめの細かい対応は不可能であった。
【００１０】
そこで本発明者は図３に示すような制御機構を導入したのである。
すなわち、図３に示すカード式制御装置１０においては、カード読み取り手段５０と、照明制御手段５２と、タイムチャート設定手段５４を備える。
そして、タイムチャート設定手段５４は、コート管理者による手動入力部５６と、タイムチャート設定部５８と、条件プログラム、基本タイムチャートなどを記憶しているＲＯＭ６０と、設定された改変タイムチャートを書換可能に記憶する書換型記憶部（ＲＡＭ）６２を備える。
【００１１】
ここで、通常使用の場合には、前記カード挿入口１４に挿入されたプリペイドカード１２は、カード読み取り手段５０によりその残度数が読みとられ、照明制御手段５２は、前記タイムチャート設定手段５４にタイムチャートの送信指示を行う。この指示に基づきタイムチャート設定手段５４はＲＡＭ６２に記憶されたタイムチャートを読み取り、その情報を照明制御手段５２に送出する。照明制御手段５２はこのタイムチャートに基づき、前記プリペイドカード１２の残度数に相当する時間、照明設備１８，２０の照明制御を行う。
【００１２】
そして、残度数が残っている状態でコート使用者により強制終了が行われた場合には、残度数をプリペイドカード１２に書き込み、その返却を行う。
一方、コート管理者がタイムチャートの変更を行う場合には、本実施形態においてカード挿入口１４に条件設定カード６４を挿入する。この場合、カード読み取り手段５０を介して得られた条件設定指示に基づき、照明制御手段５２はタイムチャート設定手段５４のタイムチャート設定部５８に条件設定モードになったことを指示する。
【００１３】
この指示により、タイムチャート設定部５８はＲＯＭ６０より条件設定プログラムを読み込むとともに、手動入力部５６よりの入力情報を受け付け、コート管理者が入力するたとえば前記サービス時間、残置灯、殺菌器等の点灯期間に基づきタイムチャートを作成し、ＲＡＭ６２に記憶する。
そして、設定が終了したらば、コート管理者は条件設定カード６４をカード挿入口１４より抜き出し、設定を終了する。
なお、前記ＲＡＭは図示を省略したバックアップ電源によりその記憶内容を失うことがない。
【００１４】
以上のように本実施形態にかかるカード式制御装置によれば、コート管理者の希望に応じて自らの操作によりタイムチャートの変更が可能となり、またＲＡＭの内容は任意に書き換えられるから、たとえば冬季は殺虫器を点灯しないなど、季節に応じたタイムチャートを順次設定することもできる。
また、本実施形態にかかる装置は、テニスコート近傍に配置されているため、たとえばレストハウスから遠いテニスコートの場合には残置灯の点灯時間を長くするなど、そのテニスコート個々に応じたタイムチャート設定も容易である。
【００１５】
また、本実施形態にかかる装置では、条件設定カード６４をカード挿入口に挿入した場合のみ、制御条件の変更が可能となるので、コート使用者等が誤って設定変更を行ってしまうことがない。
なお、以上の実施形態においては、テニスコートの照明制御に本発明のカード式制御装置を用いた例について説明したが、たとえば講堂あるいは他の施設の照明ないし他の付属設備の制御に用いることも可能である。
【００１６】
【発明の効果】
以上説明したように本発明にかかるカード式制御装置によれば、カード情報に基づく機器使用条件を、任意に書き換え、かつ記憶可能としたので、同一のカードを用いつつ、管理者の希望により制御状態を変更することができる。
また、本発明にかかるカード式照明制御装置によれば、プリペイドカードの残存度数に応じた照明制御のタイムチャートを管理者が随時変更可能となり、照明のきめ細かい制御を行い得る。
【図面の簡単な説明】
【図１】本発明のカード式制御装置一実施形態にかかるカード式照明制御装置の利用状態の説明するである。
【図２】図１に示したカード式照明制御装置のタイミングチャートの説明図である。
【図３】図１に示したカード式照明制御装置の構成説明図である。
【符号の説明】
１０  プリペイドカード式照明制御装置
１２  プリペイドカード
１８，２０  照明設備
５６  条件設定手段
６２  書換型記憶手段（ＲＡＭ）
【図１】
0003986600.tif 000002
【図２】
0003986600.tif 000003
【図３】
0003986600.tif 000004